(57)【要約】【課題】屋内型配線用差込接続器のプラグ受けと差込差込プラグに僅かでも隙間が生じるとそこに塵埃が堆積する。それが湿気を帯びると絶縁抵抗が低下して漏洩電流によりやがて発火に至るいわゆるトラッキング現象が発生する。【解決の手段】屋内型配線用差込接続器のプラグ受けの差込口３（４）を垂直面に対して斜め下向きに配置することにより差込プラグとプラグ受けの隙間に塵埃の堆積がなくなるのでトラッキング現象が発生しにくい。なを、差込口（３）はプラグ受けより突出して、差込口（４）は内側に配置した例を示す。【選択図】図１
2009277633.tif 000002
【特許請求の範囲】
【請求項１】
屋内型差込接続器のプラグ受けの差込口を本体の垂直面に対して斜め下向きに配置したことを特徴とするトラッキング現象が起こりにくい屋内配線用差込接続器のプラグ受け。
【発明の詳細な説明】
【技術分野】
【０００１】本発明は、差込プラグ受けの差込口を本体表面に対して斜め下向きに配置し差込プラグとプラグ受けの隙間に塵埃が堆積しないようにしたものである。
【背景技術】
【０００２】従来の差込プラグ受けは差込口を本体表面より僅かに凹ませて配置し、プラグ受けの差込口に塵埃が堆積し難くしていた。
【発明の開示】
【発明が解決しようとする課題】
【０００３】差込プラグ受けの差し込口の周辺をわずかに凹ませてプラグ受けの差込口に塵埃が付着し難くしていたがその深さは僅か０．５ｍｍ程度であり差込プラグと差込口に僅かでも隙間があれば塵埃が堆積しそれが湿気を帯びて絶縁が劣化してトラッキング現象を引き起こすことになる。
【発明を解決するための手段】
【０００４】差込プラグの差込口を本体表面に対して斜め下向きに配置する。
【発明の効果】
【０００５】プラグ受けの差込口とプラグの間に隙間ができても塵埃が堆積することがなく、それが湿気を帯びて発生するトラッキング現象を防止することができる。
差込プラグ受けのみならず差込プラグの差込面にも塵埃が付着しない。
また、差込プラグを差し込んだときコードが屈曲する角度が鈍角となり屈曲点にかかる曲げ応力度が小さくなるとともに差込面からコードが突出する距離も短くなる。
【発明を実施するための最良の形態】
【０００６】以下、本発明の実施の形態について説明する。
（イ）樹脂モールド本体前部（６）の差込口を本体前部垂直面に対して斜め下向きとした差込口（３）の上部を本体前面より突出して配置する。あるいは、差込口（４）の下部を本体前部垂直面より内側に配置する。
（ロ）それらの差込口の角度に対応した接触子（９）を後部カバー（７）に取り付ける。
（ハ）本体前部（６）に接触子を取り付けた後部カバー（７）を取り付ける。
【図面の簡単な説明】
【０００７】
【図１】屋内型配線用接続器の二個口のプラグ受けを示した斜視図。
【図２】屋内型配線用接続器のプラグ受けの側面図。
【図３】差込接続器にコード付き差込プラグを差し込んだ例。上部は従来の差込口に差し込んだ例。下部は本発明の差込口に差し込んだ例の側面図。
【符号の説明】
１  差込接続器のプラグ受け本体前部および後部カバー
２  差込接続器をお目込みボックスに取り付けると共に本体前部と後部カバーを固定するための金具
３  差込プラグ差込口（本体より突出して配置した例）
４  差込プラグ差込口（本体より内側に配置した例
５  差込プラグ差込口（従来の差込口）
６  差込接続器の前部
７  差込接続器の後部カバー
８  接触子
９  配線差込口
１０差込端子
１１コード付き差込プラグ
Ｌ１本発明による差込口に差し込んだ差込プラグのコードと差込接続器本体との離間距離
Ｌ２従来の差込口に差し込んだ差込プラグのコードと差込接続器本体との離間距離
【図１】
2009277633.tif 000003
【図２】
2009277633.tif 000004
【図３】
2009277633.tif 000005
【図４】
2009277633.tif 000006
【手続補正書】
【提出日】平成20年7月22日(2008.7.22)
【手続補正１】
【補正対象書類名】明細書
【補正対象項目名】０００７
【補正方法】変更
【補正の内容】
【０００７】
【図１】本発明による二個口差込接続器のプラグ受けを示した斜視図。
【図２】本発明による二個口差込接続器プラグ受けの側面図。
【図３】本発明による二個口差込接続器プラグ受けの組み立て図。
【図４】本発明の差込接続器にコード付き差込プラグを差し込んだ例。上部は従来の差込口に差し込んだ例。下部は本発明の差込口に差し込んだ例の側面図。
【手続補正書】
【提出日】平成20年7月30日(2008.7.30)
【手続補正１】
【補正対象書類名】明細書
【補正対象項目名】０００７
【補正方法】変更
【補正の内容】
【０００７】
【図１】本発明による二個口差込接続器のプラグ受けを示した斜視図。
【図２】本発明による二個口差込接続器プラグ受けの側面図。
【図３】本発明による二個口差込接続器プラグ受けの組み立て図。
【図４】本発明の差込接続器にコード付き差込プラグを差し込んだ例。上部は従来の差込口に差し込んだ例。下部は本発明の差込口に差し込んだ例の側面図。［符号の説明］［０００８］１  差込接続器のプラグ受け本体前部および後部カバー２  差込接続器を埋込みボックスに取り付けると共に本体前部と後部カバーを固定するための金具３  本発明による差込プラグ差込口４  従来の差込プラグ差込口５  差込接続器の前部カバー６  差込接続器の後部カバー７  差込プラグ用接触子８  配線差込端子９  配線差込口１０  コード付き差込プラグＬ１  本発明による差込口に差し込んだ差込プラグのコードと差込接続器本体との離間距離Ｌ２  従来の差込口に差し込んだ差込プラグのコードと差込接続器本体との離間距離
【手続補正２】
【補正対象書類名】図面
【補正対象項目名】全図
【補正方法】変更
【補正の内容】
【図１】
2009277633.tif 000007
【図２】
2009277633.tif 000008
【図３】
2009277633.tif 000009
【図４】
2009277633.tif 000010
【手続補正書】
【提出日】平成20年10月7日(2008.10.7)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】本発明は、差込プラグ受けの差込口を本体表面に対して斜め下向きに配置し差込プラグとプラグ受けの隙間に塵埃が堆積しないようにしたものである。
【背景技術】
【０００２】従来の差込プラグ受けは差込口を本体表面より僅かに凹ませて配置し、プラグ受けの差込口に塵埃が堆積し難くしていた。
【発明の開示】
【発明が解決しようとする課題】
【０００３】差込プラグ受けの差し込口の周辺をわずかに凹ませてプラグ受けの差込口に塵埃が付着し難くしていたがその深さは僅か０．５ｍｍ程度であり差込プラグと差込口に僅かでも隙間があれば塵埃が堆積しそれが湿気を帯びて絶縁が劣化してトラッキング現象を引き起こすことになる。
【発明を解決するための手段】
【０００４】差込プラグの差込口を本体表面に対して斜め下向きに配置する。
【発明の効果】
【０００５】プラグ受けの差込口とプラグの間に隙間ができても塵埃が堆積することがなく、それが湿気を帯びて発生するトラッキング現象を防止することができる。
差込プラグ受けのみならず差込プラグの差込面にも塵埃が付着しない。
また、差込プラグを差し込んだときコードが屈曲する角度が鈍角となり屈曲点にかかる曲げ応力度が小さくなるとともに差込面からコードが突出する距離も短くなる。
【発明を実施するための最良の形態】
【０００６】以下、本発明の実施の形態について説明する。
（イ）樹脂モールド本体前部１の差込口３および４を本体前部垂直面に対して斜め下向きに配置する。
（ロ）差込口３および４の角度に対応した接触子６と接続導体７で構成される部品の切り欠き部８を樹脂モールド製の本体後部２に設けた突起部９に嵌合して樹脂モールド製の本体後部２に取り付ける。また、接続導体７に配線用差込端子を設け本体後部には、それに対応する配線差込み口を設ける。
（ハ）接触子６と接続導体７を取り付けた樹脂モールド製の本体後部２に樹脂モールド製の本体前部１を取り付け金具５にて固定する。
【図面の簡単な説明】
【０００７】
【図１】屋内型配線用接続器の二個口のプラグ受けを示した斜視図。
【図２】屋内型配線用接続器のプラグ受けの側面図。
【図３】本発明による二個口差込接続器プラグ受けの組み立て図。
【図４】差込接続器にコード付き差込プラグを差し込んだ例。上部は従来の差込口に差し込んだ例。下部は本発明の差込口に差し込んだ例の側面図。
【符号の説明】
【０００８】  １  差込接続器のプラグ受け本体前部。
２  差込接続器のプラグ受け本体後部。
３  差込プラグ差込口。（本体前面より突出して配置した例を示す）
４  差込プラグ差込口。（本体前面より内部に配置した例を示す）
５  差込接続器を埋め込みボックスに取り付けると共に本体前部と後部を固定するための金具。
６  差込プラグの接触子。
７  接触子の接続導体。
８  切り欠き部
９  接触子を固定する本体後部と一体構造の突起部。
１０  差込端子。
１１  配線差込み口。
１２  コード付き差込プラグ。
Ｌ１  本発明による差込口に差し込んだ差込プラグのコードと差込接続器本体との離間距離
Ｌ２  従来の差込口に差し込んだ差込プラグのコードと差込接続器本体と